(57)【要約】【課題】扉の蝶番を破壊しても扉を開けることが極めて困難なロッカーの扉ロック機構を提供する。【解決手段】前面が開口する箱状をなすロッカー本体２、ロッカー本体の開口部２ａの内周面２ｃに全周に亘り前方に突出し対向する両側部１１ａ，１１ｂにそれぞれ係合孔１２，１３が形成された枠体１１、ロッカー本体の前面に蝶番４により開閉自在に取り付けられ枠体を収容する箱状をなす扉３、扉の蝶番と反対側に設けられて扉を開閉するための取手５、取手に設けられキー操作に応じて作動して取手の閉扉位置から開扉位置への操作を可能とする錠機構６、扉の裏面に取手に連動して扉のロック位置又は非ロック位置に移動可能に設けられ、ロック位置においてロッカー本体の枠体の係合孔に係合して扉をロックし、非ロック位置において係合孔との係合が解除されて扉のロックを解除するロックプレート１５とを備えている。【選択図】図２
2010285834.tif 000002
【特許請求の範囲】
【請求項１】
前面が開口する箱状をなすロッカー本体と、
前記ロッカー本体の開口部の内周面に全周に亘り前方に突出し対向する両側部にそれぞれ係合孔が形成された枠体と、
前記ロッカー本体の前面に蝶番により開閉自在に取り付けられ前記枠体を収容する箱状をなす扉と、
前記扉の前記蝶番と反対側に設けられ当該扉を開閉するための取手と、
前記取手に設けられキー操作に応じて作動して前記取手の閉扉位置から開扉位置への操作を可能とする錠機構と、
前記扉の裏面に前記取手に連動して前記扉のロック位置又は非ロック位置に移動可能に設けられ、前記ロック位置において前記ロッカー本体の枠体の係合孔に係合して前記扉をロックし、前記非ロック位置において前記係合孔との係合が解除されて前記扉のロックを解除するロックプレートとを備えたことを特徴とする、ロッカーの扉ロック機構。
【請求項２】
前記ロッカー本体の係合孔は、前記枠体の前記取手側と蝶番側の両側部に長手方向に沿って複数形成され、
前記ロックプレートは、前記扉の裏面に沿ってかつ前記取手側と蝶番側との間を移動可能に並列に配置された２枚のロックプレートからなり、これら２枚のロックプレートの対向する内側部がＸ形状をなすリンクにより連結されて平行にかつ同時に近接又は離間可能とされ、各外側部に前記ロッカー本体の枠体の両側部に形成された各係合孔にそれぞれ係合可能な複数のロック爪が形成されていることを特徴とする、請求項１に記載のロッカーの扉ロック機構。
【請求項３】
前記扉の裏面の前記ロッカー本体の枠体の両側部と対応する位置にこれらの各側部の両側に位置しかつ前記各ロックプレートの各ロック爪を入出自在に支持するための貫通孔を有する支持部材が設けられていることを特徴とする、請求項１又は請求項２に記載のロッカーの扉ロック機構。
【請求項４】
前記ロッカーの扉ロック機構は、使用者を特定するための使用者確認手段と、前記使用者確認手段により駆動され前記使用者が確認されたときにのみ前記ロックプレートの前記ロック位置から非ロック位置への移動を許容するロック手段とを更に備えたことを特徴とする、請求項１乃至請求項３の何れかに記載のロッカーの扉ロック機構。
【請求項５】
前記使用者確認定手段は、前記扉の前面に設けられており、前記使用者を確認したときにのみ駆動信号を出力し、
前記ロック手段は、前記２枚のロックプレートの何れか一側のロックプレートの所定位置に固定されたロックピンと、前記扉の裏面の所定位置に固定され前記駆動信号により作動するソレノイドと、前記ソレノイドのプランジャに取り付けられ前記ソレノイドの非作動時に前記ロックピンと係合して前記ロックプレートを前記ロック位置に固定し、前記ソレノイドの作動時に前記ロックピンとの係合が解除されて前記ロックプレートの前記ロック位置から非ロック位置への移動を許容するロックバーとからなることを特徴とする、請求項４に記載のロッカーの扉ロック機構。
【発明の詳細な説明】
【技術分野】
【０００１】
本発明は、ロッカーの扉ロック機構に関する。
【背景技術】
【０００２】
ロッカーの扉をロックする扉ロック機構として、例えば、特許文献１に記載されたロッカーの扉ロック機構が知られている。係るロッカーの扉ロック機構は、前面が開口する箱状をなすロッカー本体の前面に蝶番により開閉自在に取り付けられた扉と、扉に設けられキー操作に応じてその作動端が動作する錠機構と、この錠機構の作動端に付勢されてロッカー本体に係合するロック位置からその係合が外れる非ロック位置までの間で作動するロック部材と、このロック部材に連動して上下方向に往復動作しロック位置では扉の上下両端部から突出して本体に係合し、非ロック位置では扉内に没入してロッカー本体から離脱する鍵棒を有している。
【先行技術文献】
【特許文献】
【０００３】
【特許文献１】特開平０５−２９５９３９号公報（図１、３頁）
【発明の概要】
【発明が解決しようとする課題】
【０００４】
特許文献１に記載されているような一般的なロッカーの扉ロック機構は、前面が開口する箱状をなすロッカー本体の前面に蝶番により開閉自在に取り付けられた扉の上下両端部から鍵棒が突出してロッカー本体に係合する簡単な構造とされている。そのため、蝶番が破壊されると容易に扉が開けられてしまう。このため、一般家庭においてこのような扉ロック機構のロッカーに例えば重要書類・資料、或いは高価な宝物や趣味の骨董品等の品々を保管している場合容易に盗難される虞がある。また、所持に特別な許可が必要な猟銃等の保管にロッカーを使用する場合、猟銃等の盗難事故は昨今大きな社会問題を引き起こす要因となっているので、厳重な保管が必要不可欠である。
【０００５】
本発明の目的は、前面が開口する箱状をなすロッカー本体の前面に蝶番により開閉自在に取り付けられた扉を有するロッカーの蝶番を破壊しても扉を開けることが極めて困難なロッカーの扉ロック機構を提供することにある。
【課題を解決するための手段】
【０００６】
上述した課題を解決するために、本発明に係るロッカーの扉ロック機構は、
前面が開口する箱状をなすロッカー本体と、
前記ロッカー本体の開口部の内周面に全周に亘り前方に突出し対向する両側部にそれぞれ係合孔が形成された枠体と、
前記ロッカー本体の前面に蝶番により開閉自在に取り付けられ前記枠体を収容する箱状をなす扉と、
前記扉の前記蝶番と反対側に設けられ当該扉を開閉するための取手と、
前記取手に設けられキー操作に応じて作動して前記取手の閉扉位置から開扉位置への操作を可能とする錠機構と、
前記扉の裏面に前記取手に連動して前記扉のロック位置又は非ロック位置に移動可能に設けられ、前記ロック位置において前記ロッカー本体の枠体の係合孔に係合して前記扉をロックし、前記非ロック位置において前記係合孔との係合が解除されて前記扉のロックを解除するロックプレートとを備えたことを特徴としている。
【０００７】
扉の取手が閉扉位置にあり、錠機構が施錠されているときにはロックプレートがロック位置にありロッカー本体の枠体の係合孔に係合して扉をロックしている。これにより、扉がロッカー本体に固定されて開けることができない。一方、扉を開けるときには、錠機構をキー操作により解錠して取手を閉扉位置から開扉位置へ操作すると、取手に連動してロックプレートがロック位置から非ロック位置に移動する。ロックプレートは、非ロック位置においてロッカー本体の枠体の係合孔との係合が解除されて扉とロッカー本体とのロックを解除する。これにより、扉を開けることが可能となる。
【０００８】
このようにロッカー本体の枠体が箱状をなす扉内に収容されていることにより、ロッカー本体に扉を開閉可能に取り付けている蝶番が破壊された場合でもロックプレートと枠体との係合を解除することができず、ロッカー本体から扉を外したり開けたりすることができない。これにより、ロッカー内に保管されている例えば猟銃や重要書類・資料、或いは高価な宝物や趣味の骨董品等の品々の盗難を確実に防止することが可能となる。
【０００９】
また、本発明の請求項２に係るロッカーの扉ロック機構は、請求項１に記載のロッカーの扉ロック機構において、
前記ロッカー本体の係合孔は、前記枠体の前記取手側と蝶番側の両側部に長手方向に沿って複数形成され、
前記ロックプレートは、前記扉の裏面に沿ってかつ前記取手側と蝶番側との間を移動可能に並列に配置された２枚のロックプレートからなり、これら２枚のロックプレートの対向する内側部がＸ形状をなすリンクにより連結されて平行にかつ同時に近接又は離間可能とされ、各外側部に前記ロッカー本体の枠体の両側部に形成された各係合孔にそれぞれ係合可能な複数のロック爪が形成されていることを特徴としている。
【００１０】
ロックプレートが２枚のロックプレートからなりかつＸ形状のリンクを介して連結して互いに平行にかつ同時に近接又は離間可能となっている。また、ロッカー本体の枠体に設けた係合孔にこれら２枚のロックプレートに設けた複数のロック爪をロッカー本体の枠体の対応する複数の係合孔にそれぞれ係合させるようになっている。これにより、取手の回動操作に連動させて扉のロック又はロック解除を簡単に行うことが可能となる。また、扉ロック機構の構造も簡単となる。
【００１１】
また、本発明の請求項３に係るロッカーの扉ロック機構は、請求項１又は請求項２に記載のロッカーの扉ロック機構において、
前記扉の裏面の前記ロッカー本体の枠体の両側部と対応する位置にこれらの各側部の両側に位置しかつ前記各ロックプレートの各ロック爪を入出自在に支持するための貫通孔を有する支持部材が設けられていることを特徴としている。
【００１２】
扉の裏面にロッカー本体の枠体の両側部の両側に位置し、各ロックプレートの各ロック爪を貫通させた状態で支持する支持部材を設けている。そして、ロック位置において各ロック爪を支持部材の貫通孔及び枠体の係合孔に貫通させることにより、扉をロッカー本体に固定する。ロック爪は、支持部材に貫通した後支持されることで曲げ強度が高くなり、容易に曲げることができなくなる。これにより、扉ロック機構の強度が大幅に向上して容易に破壊することができなくなり、ロッカー本体から扉を外したり、扉を開けたりすることができなくなっている。
【００１３】
また、本発明の請求項４に係るロッカーの扉ロック機構は、請求項1乃至請求項３の何れかに記載のロッカーの扉ロック機構において、
前記ロッカーの扉ロック機構は、使用者を確認するための使用者確認手段と、前記使用者確認手段により駆動され前記使用者が確認されたときにのみ前記ロックプレートの前記ロック位置から非ロック位置への移動を許容するロック手段とを更に備えたことを特徴としている。
【００１４】
扉ロック機構に使用者確認手段とロックプレートをロック位置に固定するロック手段を設け、ロッカーの扉に設けた使用者確認手段により使用者が確認されたときにのみロック手段が作動してロックプレートのロック位置から非ロック位置への移動を可能とすることにより、扉ロック機構をより一層強固にすることができる。
【００１５】
また、本発明の請求項５に係るロッカーの扉ロック機構は、請求項４に記載のロッカーの扉ロック機構において、
前記使用者確認手段は、前記扉の前面に設けられており、前記使用者を確認したときにのみ駆動信号を出力し、
前記ロック手段は、前記２枚のロックプレートの何れか一側のロックプレートの所定位置に固定されたロックピンと、前記扉の裏面の所定位置に固定され前記駆動信号により作動するソレノイドと、前記ソレノイドのプランジャに取り付けられ前記ソレノイドの非作動時に前記ロックピンと係合して前記ロックプレートを前記ロック位置に固定し、前記ソレノイドの作動時に前記ロックピンとの係合が解除されて前記ロックプレートの前記ロック位置から非ロック位置への移動を許容するロックバーとからなることを特徴としている。
【００１６】
ロック手段が、使用者確認手段からの駆動信号により作動するソレノイドのプランジャに設けたロックレバーの係合溝に何れか一側のロックプレートに固定したロックピンを係合させる構成を有している。これにより、ソレノイドの非作動時にロックピンと係合させてロックプレートをロック位置に固定し、ソレノイドの作動時にロックピンとの係合を解除させてロックプレートのロック位置から非ロック位置への移動を許容することで、使用者以外の者が扉を開けることができなくなると共に、扉ロック機構を更に強固なものとすることができる。
【発明の効果】
【００１７】
本発明によれば、前面が開口する箱状をなすロッカー本体の前面に蝶番により開閉自在に取り付けられ枠体を収容する箱状をなす扉を有するロッカーの蝶番を破壊しても扉を外したり開けたりすることが極めて困難となる。そのため、例えば猟銃や重要書類・資料、或いは高価な宝物や趣味の骨董品等の品々を厳重に保管することができ、盗難を極めて効果的に防止することができるようになる。
【図面の簡単な説明】
【００１８】
【図１】本発明の一実施形態に係るロッカーの扉ロック機構を備えたロッカーの正面図である。
【図２】図１に示したロッカーの扉を開いた状態の要部斜視図である。
【図３】図２に示したロッカーの扉ロック機構のロック位置におけるロックプレートの一部を示す説明図である。
【図４】図３に示した扉ロック機構の非ロック位置におけるロックプレートの一部を示す説明図である。
【図５】図２に示した扉ロック機構をロック又はロックを解除するロック手段の説明図である。
【発明を実施するための形態】
【００１９】
以下、本発明の一実施形態に係るロッカーの扉ロック機構について図面に基づいて説明する。図１は、本発明の一実施形態に係るロッカーの扉ロック機構を備えたロッカーの正面図である。ロッカー１は、スチール製のロッカーで縦長形状をなしており、前面が開口する箱状をなすロッカー本体２の前面に扉３が複数の蝶番４により開閉自在に取り付けられている。
【００２０】
扉３の前面には蝶番４と反対側の中央部よりも僅かに下方位置に取手５が設けられており、取手５には錠機構６が設けられている。錠機構６は、キー操作に応じて作動して取手５を実線で示す閉扉位置から二点鎖線で示す開扉位置に操作することを可能としている。なお、取手５の閉扉位置から開扉位置への操作は、錠機構６のキー孔にキーを差し込んで解錠し、当該取手５を手前に引いた状態で矢印方向に回動させる。
【００２１】
扉３の略中央位置に当該ロッカー１を使用する使用者を確認するための使用者確認手段７が設けられている。また、この使用者確認手段７の隣には表示ランプが設けられている。表示ランプは、使用者を確認したときに点灯する例えば緑色の表示ランプ８と、使用者であることを確認できないときに点灯する例えば赤色の表示ランプ９からなる。そして、使用者確認手段７は、使用者を確認したときにのみ駆動信号を出力して後述するロックプレート１５をロックするためのロック手段３１を作動させる。
【００２２】
使用者確認手段７は、例えば使用者の特定の指又は全ての指の静脈を認証する静脈認証手段、使用者の特定の指又は全ての指の指紋を認証する指紋認証手段、或いは０〜９までの数字の入力キーが設けられ特定の暗証番号を入力するようにした暗証番号入力手段等から構成されている。
【００２３】
一方、図２に示すようにロッカー本体２の開口部２ａの内周面２ｃには、全周に亘り開口端面２ｂから前方に突出した（張り出した）板状の枠体１１が固定されている。そして、この枠体１１の対向する両側部、例えば図中左右（取手側と蝶番側）の側部１１ａ，１１ｂにそれぞれ係合孔（長穴）１２，１３が長手方向に沿って所定の間隔で複数穿設されている。また、ロッカー本体２の背板２ｄ、底板２ｅには取付孔２ｆ，２ｇが複数設けられており、図示しない部屋の壁面（壁板）、床面（床板）に強固に固定可能とされている。これにより、ロッカー１を容易に持ち運ぶことができなくなる。
【００２４】
扉３は、浅い箱状をなし、ロッカー本体２の枠体１１を全周に亘り取り囲んで収容するように側壁３ａがロッカー本体の全周に亘り形成されており、その外面がロッカー本体２の外面と面一をなしている。また、側壁３ａの高さは、枠体１１が後述するロック機構１４を構成する支持部材２３，２４内に収容（挿入）された閉扉状態において当該側壁３ａの開口端面３ｂがロッカー本体２の開口端面２ｂに当接するように形成されている。
【００２５】
扉３の裏面３ｃにはロック機構１４が設けられている。ロック機構１４は、取手５に連動して扉３のロッカー本体２とのロック位置又は非ロック位置に移動可能に設けられている。そして、ロック位置においてロッカー本体２の枠体１１の係合孔１２，１３に係合して扉３をロックし、非ロック位置において係合孔１２，１３との係合が解除されて扉３のロックを解除するロックプレート１５が設けられている。
【００２６】
ロックプレート１５は、扉３の裏面３ｃに沿ってかつ図中左右方向（取手５側と蝶番４側）との間を移動可能に並列に配置された２枚のロックプレート１６，１７からなる。これらのロックプレート１６，１７は、上部及び下部が扉３の裏面３ｃの上部及び下部に破線で示すように左右方向に固定されたスライドレール１８，１９上を摺動可能に取り付けられている。ロックプレート１６，１７は、対向する内側部の上下位置がＸ形状をなすリンク２１，２２により連結されて図中左右方向に平行にかつ同時に近接又は離間可能となっている。
【００２７】
ロックプレート１６，１７には、外側端部にロッカー本体２の枠体１１の側部１１ａ，１１ｂに形成された各係合孔１２，１３にそれぞれ係合可能なロック爪１６ａ，１７ａが複数形成されている。なお、蝶番４側に位置するロックプレート１７は、上部及び下部に固定されている蝶番４の間に入る長さを有し、各ロック爪１７ａは、各蝶番４と干渉しない位置に設けられている。
【００２８】
扉３の裏面３ｃには、ロッカー本体２の枠体１１の左右の側部１１ａ、１１ｂと対応する位置にこれらの側部１１ａ、１１ｂを収容（挿入）しかつ各ロックプレート１６，１７の各ロック爪１６ａ，１７ａを支持するための支持部材２３，２４が設けられている。支持部材２３は、断面角形のＵ字形状をなす長尺の溝形部材で、両側部２３ａ，２３ｂの間に枠体１１の側部１１ａが略全長に亘り僅かな隙間を介して収容（挿入）可能となっている。また、各ロック爪１６ａと対応する位置には、これらのロック爪１６ａを出し入れ自在とする貫通孔（長穴）２３ｄが形成されている（図３及び図４参照）。支持部材２３の底部２３ｃは、扉３の裏面３ｃに強固に固定されている。これにより、ロック爪１６ａが支持部材２３に強固に支持可能となっている。
【００２９】
支持部材２４も支持部材２３と同様に両側部２４ａ，２４ｂの間に枠体１１の側部１１ｂが略全長に亘り僅かな隙間を介して収容（挿入）可能とされており、各ロック爪１７ａと対応する位置にこれらのロック爪１７ａを出し入れ自在とする貫通孔（長穴）２４ｄが形成されている。支持部材２４の底部２４ｃは、扉３の裏面３ｃに強固に固定されている。これにより、ロック爪１７ａが支持部材２４に強固に支持可能とされている。
【００３０】
なお、支持部材２３，２４は、上述したように断面角形のＵ字形状をなす溝形部材に限るものではなく、それぞれ２枚の板を枠体１１の側部１１ａ，１１ｂを収容可能な間隔を介して平行に配置して形成するようにしても良い。
【００３１】
取手５の回転軸（支持軸）２５は、図３に示すように扉３の裏面３ｃからロックプレートｌ６に設けられた角孔１６ｃ内に突出しており、端面にアーム２６の基端部が固定され、アーム２６の先端部に係合ピン２７が固定されている。この係合ピン２７は、ロックプレート１６に固定された固定部材２８に形成された係合溝２８ａに回動可能に係合されている。これにより、取手５の回動操作に応じてロックプレート１６を図中左右方向に移動させる。即ち、図３に示すロック位置と図４に示す非ロック位置に移動させることが可能となる。
【００３２】
図５に示すように扉３の裏面３ｃには、ロックプレート１５をロックするためのロック手段３１が設けられている。ロック手段３１は、ロックプレート１６，１７の何れか一側のロックプレートに設けられている。具体的には、例えば図２乃至図４に示すようにロックプレート１６の角孔１６ｃの上方に形成された角形の大きな切欠１６ｄ内に設けられている。ロック手段３１は、ロックピン３２、ソレノイド３３、ロックバー３５、リンク３６、支持板３７等により構成されている。
【００３３】
ロックピン３２は、切欠１６ｄの側部上方位置に固定されている。支持板３７は、ブラケット４１，４２を介して扉３の裏面３ｃに固定されており、ソレノイド３３は、支持板３７の下部にプランジャ３４を上方に向けて垂直に固定されている。ロックバー３５は、支持板３７の上方に支持軸３８により回動自在に軸支されており、基端部がリンク３６を介してソレノイド３３のプランジャ３４の先端部に回動可能に連結されている。
【００３４】
ロックバー３５の先端部には下側に開口する係合溝３５ａが形成されている。この係合溝３５ａは、ロックプレート１６がロック位置に移動するとロックピン３２に係合可能とされている。なお、リンク３６は、必ずしも必要ではなく、プランジャ３４の先端部にロックバー３５の基端部を連結するようにしても良い。
【００３５】
ソレノイド３３は、使用者確認手段７から駆動信号が入力されていないときには非作動となっており、プランジャ３４がばね力で押し上げられ、リンク３６を介してロックバー３５の先端部が押し下げられて係合溝３５ａがロックピン３２に係合されている。これにより、ロックプレート１６がロック位置に固定される。
【００３６】
ソレノイド３３は、使用者確認手段７から駆動信号が入力されると作動してプランジャ３４をばね力に抗して引き込み、二点鎖線で示すようにリンク３６を介してロックバー３５を二点鎖線で示すように反時計方向に回動させて先端部を上方に押し上げ、係合溝３５ａをロックピン３２から外す。これにより、ロックバー３５とロックピン３２との係合が解除され、二点鎖線で示すようにロックプレート１６が矢印Ａ方向に移動可能となり、図４に示すロックプレート１６が非ロック位置まで移動することが可能となる。ロック機構１４は、箱状をなす扉３内に収容されており、当該扉３の裏面３ｃに取付けられた図示しないカバーにより覆われて保護されている。このようにして、扉ロック機構が形成されている。
【００３７】
次に、上述したロック機構１４の作用について説明する。図１においてロッカー１は、室内の所定位置に設置されて背板２ｄ及び底板２ｅが壁面及び床面に強固に固定されており、移動不能とされている。ロッカー１は、扉３が閉められて取手５が実線で示す閉扉位置にあり、錠機構６が施錠されている。この施錠状態においては取手５を手前に引くことができず、かつ、二点鎖線で示す開扉位置まで回動することができない。従って、扉３を開けることができない。
【００３８】
そして、図２に示すロッカー本体２の枠体１１が扉３の側壁３ａの内側に入り込んで左右の側部１１ａ，１１ｂが扉３の左右の支持部材２３，２４内に収容（挿入）されている。ロックプレート１６，１７は、Ｘ形状のリンク２１，２２により離間しており、各ロック爪１６ａ，１７ａが支持部材２３，２４の側部２３ａ，２４ａの各貫通孔２３ｄ，２４ｄ、枠体１１の側部１１ａ，１１ｂの各係合孔１２，１３、支持部材２３，２４の側部２３ｂ，２４ｂの各貫通孔２３ｄ，２４ｄを貫通している（図３参照）。
【００３９】
更に、図５に示すようにソレノイド３３が非作動状態にあり、ロックバー３５の係合溝３５ａがロックピン３２に係合している。これにより、ロックプレート１６，１７が図２及び図３に示すロック位置に固定されている。従って、扉３は、ロッカー本体２に強固に固定されて開扉不能とされている。
【００４０】
使用者が開扉すべく使用者確認手段７を操作して使用者と認証されると、図５に示すソレノイド３３が作動して二点鎖線で示すようにロックバー３５の先端部の係合溝３５ａがロックプレート１６のロックピン３２から外れる。これにより、ロックピン３２とロックバー３５と係合が解除されてロックプレート１６が移動可能となる。次いで、使用者が図１に示す取手５の錠機構６のキー孔にキーを差し込んで解錠し、取手５を手前に引いた状態で閉扉位置から二点鎖線で示す開扉位置へと回動させる。
【００４１】
取手５の回動に伴い図５に示すロックプレート１６が矢印Ａ方向に二点鎖線で示すように移動し、同時にロックプレート１７も図２の矢印Ｂ方向に移動する。即ち、ロックプレート１６及び１７は、Ｘ形状をなすリンク２１，２２により平行にかつ同時に近接する。この結果、ロッカー本体２の枠体１１の側部１１ａ，１１ｂの各係合孔１２，１３からロックプレート１６，１７の各ロック爪１６ａ，１７ａが同時に抜け出してロッカー本体２の枠体１１の側部１１ａ，１１ｂとの係合が解除される。次いで、取手５を手前に引くことにより扉３を開けることができる。
【００４２】
ここで、使用者がロッカー本体２から必要なものを取り出すか、収容するかした後に図１に示すように閉扉すると、扉３の支持部材２３，２４内にロッカー本体２の枠体１１の側部１１ａ，１１ｂが収容される。次いで、使用者が取手５を二点鎖線で示す開扉位置から実線で示す閉扉位置に戻すと、ロックプレート１６とロックプレート１７がリンク２１，２２により平行にかつ同時に離間して各ロック爪１６ａ，１７ａが扉３の支持部材２３，２４及びロッカー本体２の枠体１１の側部１１ａ，１１ｂの対応する各貫通孔２３ｄ、２４ｄ及び係合孔１２，１３を貫通してロッカー本体２と扉３とを係合する。
【００４３】
次いで、使用者が取手５の錠機構６のキー孔にキーを差し込んで施錠すると、図５に示すようにロック手段３１のソレノイド３３が非作動となってプランジャ３４がばね力により押し上げられ、ロックバー３５の係合溝３５ａがロックプレート１６のロックピン３２に係合される。これにより、ロックプレート１６，１７がロック位置に固定され、取手５の開扉操作ができなくなる。
【００４４】
一方、使用者以外の者がロッカー１の扉３を開けるべく使用者確認手段７を操作しても使用者として認証されず、扉３を開けることができない。そこで、蝶番４を破壊して扉３を開けようとした場合、扉３は、箱状をなしてロッカー本体２の枠体１１を収容しており、扉３の内部即ち、裏面３ｃに取り付けられたロック機構１４によりロッカー本体２の枠体１１に強固に固定されているためにロッカー本体２から収容物を取り外すことができない。また、取手５の錠機構６を破壊して取手５を開扉位置まで操作しようとしても、ロック手段３１によりロックプレート１６，１７がロック位置に固定されているために取手５を開扉位置まで動かすことができない。従って、扉３を開けることができない。
【００４５】
更に、図２に示すロッカー本体２の開口端面２ｂと扉３の側壁３ａの開口端面３ｂとの間にドライバー等を差し込んでこじ開けようとしても、ドライバーの先端がロッカー本体２の枠体１１に突き当たってそれ以上の差し込みが阻止され、ドライバーの先端を内方まで差し込むことができず、扉３をこじ開けることができない。また、ロッカー本体２は、その内部において壁面や床面に強固に固定されているために動かすこともできない。このため、通常の手段では扉３を外したり開けたりすることもできず、ロッカー１を持ち運ぶこともできない。これにより、ロッカー１内に収容されている猟銃や重要書類・資料、その他の貴重品等を厳重に保管して盗難を防止することができる。
【００４６】
以上説明したように、本発明によるロッカーの扉ロック機構によると、ロッカー１の扉３の取手５に設けられた錠機構６が施錠位置にあるときにはロックプレート１６，１７がロック位置にあり、ロックプレート１６，１７がロッカー本体２の枠体１１の係合孔１２，１３に係合している。これにより、扉３がロッカー本体２に固定されて扉３を開けることができない。扉３を開けるに関しては、錠機構６をキー操作により解錠して取手５を閉扉位置から開扉位置へ操作する、取手５に連動してロックプレート１６，１７がロック位置から非ロック位置に移動する。ロックプレート１６，１７は、非ロック位置においてロッカー本体２の枠体１１の係合孔１２，１３との係合が解除されてロックを解除する。これにより、扉３を開けることが可能となる。
【００４７】
このようにロッカー１の扉ロック機構を形成することにより、ロッカー本体２に扉３を開閉可能に取り付けている蝶番４が破壊された場合でもロッカー本体２から扉３を外したり開けたりすることが極めて困難となる。これにより、ロッカー１内に、例えば猟銃や重要書類・資料等を厳重に保管して盗難を防止することが可能となる。また、使用者が所有している宝物や趣味としている高価な骨董品等の貴重な品々も厳重に保管することができる。そして、使用者がこれらの品々を特別な時に取り出して親しい人にのみ見せるようにすることができる。
【００４８】
なお、上述の実施形態では、係合部となるロック爪と係合孔が扉の左右方向に配置されていたが、本発明は必ずしもこの配置形態に限定されず、例えばこの係合部が扉の上下方向に配置されると共に、リンクを介してプレートが上下方向に互いに離間して扉をロッカー本体にロックするようにしても良く、又は、これらの配置を組み合わせて扉をロッカー本体にしっかりとロックするようにしても良い。
【符号の説明】
【００４９】
１    ロッカー
２    ロッカー本体
２ａ    開口部
２ｂ    開口端面
２ｃ    内周面
２ｄ    背板
２ｅ    底板
２ｆ，２ｇ    取付孔
３    扉
３ａ    側壁
３ｂ    開口端面
３ｃ    裏面
４    蝶番
５    取手
６    錠機構
７    使用者確認手段
８，９    表示ランプ
１１    枠体
１１ａ，１１ｂ    側部
１２，１３    係合孔
１４    ロック機構
１５，１６，１７    ロックプレート
１６ａ，１７ａ    ロック爪
１６ｃ    角孔
１６ｄ    切欠
１８，１９    スライドレール
２１，２２    リンク
２３，２４    支持部材
２３ａ，２３ｂ，２４ａ，２４ｂ    側部
２３ｃ，２４ｃ    底部
２３ｄ，２４ｄ    貫通孔
２５    回転軸（支持軸）
２６    アーム
２７    係合ピン
２８    固定部材
２８ａ    係合溝
３１    ロック手段
３２    ロックピン
３３    ソレノイド
３４    プランジャ
３５    ロックバー
３５ａ    係合溝
３６    リンク
３７    支持板
３８    支持軸
４１，４２    ブラケット
【図１】
2010285834.tif 000003
【図２】
2010285834.tif 000004
【図３】
2010285834.tif 000005
【図４】
2010285834.tif 000006
【図５】
2010285834.tif 000007